(57)【要約】【課題】ドロワ側の電気的接触部と、画像形成装置本体側の電気的接触部との、位置決めの精度を向上することが可能な、画像形成装置を提供する。【解決手段】画像形成装置は、ドロワ１０と、画像形成装置本体とを備える。ドロワ１０は、ドロワ側コネクタ１６を有する。画像形成装置本体は、本体側コネクタと、基準シャフト（シャフト）６７と、ユニットと、接続部材とを備える。ドロワ１０の挿入方向の下流側の外表面（凸部１３３）は、ドロワ１０が内部空間に収容されたときに、基準シャフト６７を押圧する。ユニットは、第３方向の一端が筐体６１に締結され、第３方向の他端が接続部材を介して基準シャフト６７に支持される。本体側コネクタはユニットに対して支持される。ドロワ側電気的接触部１６１と本体側電気的接触部とは、ドロワ１０が内部空間に収容されたときに、互いに接続される。【選択図】図１９
2020134839.tif 000002
【特許請求の範囲】
【請求項１】
ドロワであって、
第１方向に延びる軸を中心として回転可能である感光体ドラムと、
複数の前記感光体ドラムを保持するフレームであって、前記複数の感光体ドラムを第２方向において互いに間隔をあけた状態で保持するフレームと、
前記複数の感光体ドラムのうちの少なくとも１つの感光体ドラムについての情報と、前記フレームに着脱可能に装着される現像カートリッジについての情報と、の少なくとも１つを記憶するドロワメモリと、
前記フレームの前記第２方向における一方側の外表面に位置するドロワ側コネクタであって、前記ドロワメモリと電気的に接続されるドロワ側電気的接触部をもつドロワ側コネクタと、
を有するドロワと、
画像形成装置本体であって、
筐体であって、
前記第１方向に対向する一対のサイドフレームと、
前記一対のサイドフレームの間に位置し、前記ドロワを前記筐体に対して前記第２方向に移動して収容可能な内部空間と、
を含む、筐体と、
制御部と、
前記ドロワ側電気的接触部と接触する本体側電気的接触部であって、前記制御部と電気的に接続される本体側電気的接触部をもつ本体側コネクタと、
前記第１方向に延びるシャフトと、
前記筐体の前記第２方向の一方側の端部であって、前記一対のサイドフレームの間に位置するユニットであって、前記筐体に対して着脱可能なユニットと、
前記ユニットと前記シャフトとの間を接続する接続部材と、
を有する画像形成装置本体と、
を備える画像形成装置であって、
前記ドロワの前記第２方向の一方側の外表面は、前記ドロワが前記内部空間に収容されたときに、前記シャフトを押圧し、
前記ユニットは、前記第１方向および前記第２方向に対して交差する第３方向の一端が前記筐体に締結され、前記第３方向の他端が前記接続部材を介して前記シャフトに支持され、
前記本体側コネクタは前記ユニットに対して支持され、
前記ドロワ側電気的接触部と前記本体側電気的接触部とは、前記ドロワが前記内部空間に収容されたときに、互いに接続されることを特徴とする画像形成装置。
【請求項２】
請求項１に記載の画像形成装置であって、、
前記シャフトの前記第１方向における両端部は、前記一対のサイドフレームに固定されることを特徴とする画像形成装置。
【請求項３】
請求項１または請求項２に記載の画像形成装置であって、
前記接続部材に前記本体側コネクタが支持されることを特徴とする画像形成装置。
【請求項４】
請求項１から請求項３のいずれか１項に記載の画像形成装置であって、
前記ドロワの前記第２方向の一方側の外表面は、前記シャフトが嵌まる凹部を有することを特徴とする、画像形成装置。
【請求項５】
請求項４に記載の画像形成装置であって、
前記凹部は、間に前記ドロワ側コネクタを挟んで前記第１方向における両側に一対に設けられることを特徴とする、画像形成装置。
【請求項６】
請求項１から請求項５のいずれか１項に記載の画像形成装置であって、
前記接続部材は、前記シャフトの前記第１方向における中央の位置に対してオフセットして配置されることを特徴とする、画像形成装置。
【請求項７】
請求項１から請求項６のいずれか１項に記載の画像形成装置であって、
前記ユニットは、記録面上に画像を形成した後の印刷用紙を搬送する排紙ユニットであることを特徴とする、画像形成装置。
【請求項８】
請求項７に記載の画像形成装置であって、
前記接続部材は、前記第３方向に延び、
前記接続部材は、前記第３方向における前記感光体ドラムに近い側である一方側の端部に、当該一方側が開放された切欠きを有することを特徴とする、画像形成装置。
【請求項９】
請求項１から請求項８のいずれか１項に記載の画像形成装置であって、
前記ドロワ側コネクタおよび前記本体側コネクタのいずれか一方は、前記ドロワ側コネクタおよび前記本体側コネクタのいずれか他方との前記電気的接触部を、前記第１方向および前記第２方向のいずれにも交差する第４方向に、移動可能に保持するホルダを備えることを特徴とする画像形成装置。
【請求項１０】
請求項９に記載の画像形成装置であって、
前記ドロワ側コネクタおよび前記本体側コネクタのいずれか一方は、前記ホルダによって、その電気的接触部を前記ホルダの一部とともに、前記第４方向に垂直な方向に移動可能であることを特徴とする画像形成装置。
【請求項１１】
請求項１から１０のいずれか１項に記載の画像形成装置であって、
前記フレームには、トナーを収容する前記現像カートリッジが着脱可能に装着され、
前記ドロワメモリには、前記現像カートリッジを識別可能なトナー識別情報と、トナー寿命情報とが、記憶され、
前記ドロワ側コネクタと前記本体側コネクタは、互いに接続されることにより、前記ドロワメモリと前記本体制御部との通信を中継することを特徴とする、画像形成装置。
【請求項１２】
請求項１から請求項１１のいずれか１項に記載の画像形成装置であって、
前記ドロワメモリは、
前記感光体ドラムを識別可能なドラム識別情報と、ドラム寿命情報と、を記憶し、
前記ドロワ側コネクタと前記本体側コネクタは、互いに接続されることにより、前記ドロワメモリと前記制御部との通信を中継することを特徴とする、画像形成装置。
【発明の詳細な説明】
【技術分野】
【０００１】
本発明は、画像形成装置に関する。
【背景技術】
【０００２】
従来、レーザープリンタ、ＬＥＤプリンタ等の電子写真方式の画像形成装置が知られている。画像形成装置は、ドロワを有する。ドロワは、複数の感光体ドラムを有する。複数の現像カートリッジは、ドロワに対して着脱可能である。ドロワに現像カートリッジが装着されると、現像カートリッジの現像ローラと、ドロワの感光体ドラムとが接触する。現像カートリッジが装着された状態のドロワは、画像形成装置本体の筐体に収容される。
【０００３】
ドロワを有する画像形成装置については、例えば、特許文献１に記載されている。
【先行技術文献】
【特許文献】
【０００４】
【特許文献１】特開２０１０−１２８３３６号公報
【発明の概要】
【発明が解決しようとする課題】
【０００５】
従来、記憶媒体を有する現像カートリッジが知られている。記憶媒体には、現像カートリッジに関する種々の情報が記憶される。また、ドロワにおいて、感光体ドラムに関する種々の情報が扱われる。このため、ドロワに感光体ドラムに関する種々の情報を記憶する記憶媒体を搭載することも求められている。ドロワに感光体ドラムに関する記憶媒体を搭載する場合にも、ドロワに現像カートリッジを介して現像カートリッジに関する記憶媒体を搭載する場合にも、これらの記憶媒体は、画像形成装置本体側の制御部と電気的に接続される必要がある。
【０００６】
しかしながら、ドロワを画像形成装置本体の筐体に収容するときに、画像形成装置本体とドロワとの間に、衝突負荷がかかる。これにより、ドロワ側の電気的接触部と、画像形成装置本体側の電気的接触部と、の位置関係に誤差が生じる場合が考えられる。その場合、ドロワ側の電気的接触部と、画像形成装置本体側の電気的接触部とを、円滑に接続できない虞がある。
【０００７】
そこで、本発明は、ドロワ側の電気的接触部と、画像形成装置本体側の電気的接触部との、位置決めの精度を向上することが可能な、画像形成装置を提供することを目的とする。
【課題を解決するための手段】
【０００８】
本願の第１の観点によれば、以下の構成の画像形成装置が提供される。即ち、この画像形成装置は、ドロワと、画像形成装置本体とを備える。前記ドロワは、感光体ドラムと、フレームと、ドロワメモリと、ドロワ側コネクタとを有する。前記画像形成装置本体は、筐体と、制御部と、本体側コネクタと、シャフトとを備える。前記感光体ドラムは、第１方向に延びる軸を中心として回転可能である。前記フレームは、複数の前記感光体ドラムを保持するフレームであって、前記複数の感光体ドラムを第２方向において互いに間隔をあけた状態で保持する。前記ドロワメモリは、前記複数の感光体ドラムのうちの少なくとも１つの感光体ドラムについての情報と、前記フレームに着脱可能に装着される現像カートリッジについての情報と、の少なくとも１つを記憶する。前記ドロワ側コネクタは、前記フレームの前記第２方向における一方側の外表面に位置するドロワ側コネクタであって、前記ドロワメモリと電気的に接続されるドロワ側電気的接触部をもつ。前記画像形成装置本体は、筐体と、制御部と、本体側コネクタと、シャフトと、ユニットと、接続部材とを有する。前記筐体は、一対のサイドフレームと、内部空間とを有する。前記一対のサイドフレームは、前記第１方向に対向する。前記内部空間は、前記一対のサイドフレームの間に位置し、前記ドロワを前記筐体に対して前記第２方向に移動して収容可能である。前記本体側コネクタは、前記ドロワ側電気的接触部と接触する本体側電気的接触部であって、前記制御部と電気的に接続される本体側電気的接触部をもつ。前記シャフトは、前記第１方向に延びる。前記ユニットは、前記筐体の前記第２方向の一方側の端部であって、前記一対のサイドフレームの間に位置する。前記ユニットは、前記筐体に対して着脱可能である。前記接続部材は、前記ユニットと前記シャフトとの間を接続する。この画像形成装置において、前記ドロワの前記第２方向の一方側の外表面は、前記ドロワが前記内部空間に収容されたときに、前記シャフトを押圧する。前記ユニットは、前記第１方向および前記第２方向に対して交差する第３方向の一端が前記筐体に締結され、前記第３方向の他端が前記接続部材を介して前記シャフトに支持される。前記本体側コネクタは前記ユニットに対して支持される。前記ドロワ側電気的接触部と前記本体側電気的接触部とは、前記ドロワが前記内部空間に収容されたときに、互いに接続される。
【０００９】
本願の第２の観点では、第１の観点の画像形成装置において、前記シャフトの前記第１方向における両端部は、前記一対のサイドフレームに固定される。
【００１０】
本願の第３の観点では、第１の観点または第２の観点の画像形成装置において、前記接続部材に前記本体側コネクタが支持される。
【００１１】
本願の第４の観点では、第１の観点から第３の観点のいずれか１つの画像形成装置において、前記ドロワの前記第２方向の一方側の外表面は、前記シャフトが嵌まる凹部を有する。
【００１２】
本願の第５の観点では、第４の観点の画像形成装置において、前記凹部は、間に前記ドロワ側コネクタを挟んで前記第１方向における両側に一対に設けられる。
【００１３】
本願の第６の観点では、第１の観点から第５の観点のいずれか１つの画像形成装置において、前記接続部材は、前記シャフトの前記第１方向における中央の位置に対してオフセットして配置される。
【００１４】
本願の第７の観点では、第１の観点から第６の観点のいずれか１つの画像形成装置において、前記ユニットは、記録面上に画像を形成した後の印刷用紙を搬送する排紙ユニットである。
【００１５】
本願の第８の観点では、第７の観点の画像形成装置において、前記接続部材は、前記第３方向に延びる。前記接続部材は、前記第３方向における前記感光体ドラムに近い側である一方側の端部に、当該一方側が開放された切欠きを有する。
【００１６】
本願の第９の観点では、第１の観点から第８の観点のいずれか１つの画像形成装置において、前記ドロワ側コネクタおよび前記本体側コネクタのいずれか一方は、前記ドロワ側コネクタおよび前記本体側コネクタのいずれか他方との前記電気的接触部を、前記第１方向および前記第２方向のいずれにも交差する第４方向に、移動可能に保持するホルダを備える。
【００１７】
本願の第１０の観点では、第９の観点の画像形成装置において、前記ドロワ側コネクタおよび前記本体側コネクタのいずれか一方は、前記ホルダによって、その電気的接触部を前記ホルダの一部とともに、前記第４方向に垂直な方向に移動可能である。
【００１８】
本願の第１１の観点では、第１の観点から第１０の観点のいずれか１つの画像形成装置において、前記フレームには、トナーを収容する前記現像カートリッジが着脱可能に装着される。前記ドロワメモリには、前記現像カートリッジを識別可能なトナー識別情報と、トナー寿命情報とが、記憶される。前記ドロワ側コネクタと前記本体側コネクタは、互いに接続されることにより、前記ドロワメモリと前記本体制御部との通信を中継する。
【００１９】
本願の第１２の観点では、第１の観点から第１１の観点のいずれか１つの観点の画像形成装置において、前記ドロワメモリは、前記感光体ドラムを識別可能なドラム識別情報と、ドラム寿命情報と、を記憶する。前記ドロワ側コネクタと前記本体側コネクタは、互いに接続されることにより、前記ドロワメモリと前記制御部との通信を中継する。
【発明の効果】
【００２０】
本願の第１の観点から第１２の観点によれば、ドロワ側の電気的接触部と、画像形成装置本体側の電気的接触部との、位置決めの精度を向上することが可能な、画像形成装置が提供される。
【００２１】
本願の第１の観点によれば、ドロワの第２方向の一方側の外表面がシャフトを押圧することにより、ドロワが位置決めされる。また、ドロワ側電気的接触部が本体側電気的接触部に接続されることによっても、ドロワが位置決めされる。また、本体側電気的接触部を支持するユニットは第３方向の一端と他端とで安定的に支持される。結果として、ドロワの電気的接触部の位置決めの精度を向上することができる。
【００２２】
本願の第３の観点によれば、ユニットおよびシャフトが撓み難くなっているので、接続部材自体も変形し難い。この接続部材に本体側コネクタが支持されているので、本体側コネクタの位置決めの精度が向上する。その結果、ドロワの位置決めの精度も向上することができる。
【００２３】
本願の第４の観点によれば、シャフトに対してドロワを位置決めすることが容易となる。
【００２４】
本願の第５の観点によれば、凹部が、ドロワの第１方向におけるより外側に配置されるため、ドロワがシャフトを押圧したときの係合荷重に対して、シャフトがより撓み難くなる。
【００２５】
本願の第６の観点によれば、ドロワでシャフトを押圧したときの係合荷重に対して、ユニットがより撓み難くなる。
【００２６】
本願の第７の観点によれば、排紙ユニットを活用して、ドロワの位置決めの精度を向上することができる。
【００２７】
本願の第８の観点によれば、接続部材および本体側コネクタと一体の状態の排紙ユニットを、第３方向の他方側から一対のサイドフレームの間に挿入し、切欠きをシャフトに嵌め込み、排紙ユニットの第３方向の他方側の部分をサイドフレームに締結することが容易となる。言い換えれば、排紙ユニットの筐体への組付けが容易となる。また、切欠きがシャフトに嵌め込まれることにより、接続部材（本体側コネクタ）の第２方向への移動が規制される。その結果、本体側コネクタの位置決めの精度が向上する。
【図面の簡単な説明】
【００２８】
【図１】画像形成装置の概略図である。
【図２】画像形成装置の概略図である。
【図３】ドロワの斜視図である。
【図４】ドロワの斜視図である。
【図５】本体側コネクタの斜視図である。
【図６】ベースの斜視図である。
【図７】ベースの斜視図である。
【図８】カバーの斜視図である。
【図９】カバーの斜視図である。
【図１０】パネルおよび本体側電気的接触部の分解斜視図である。
【図１１】パネルおよび本体側電気的接触部の分解斜視図である。
【図１２】本体側コネクタの分解斜視図である。
【図１３】本体側コネクタの分解斜視図である。
【図１４】本体側コネクタを第４方向の他方側から見た図である。
【図１５】本体側コネクタを第５方向の一方側から見た図である。
【図１６】本体側コネクタを第５方向の他方側から見た図である。
【図１７】本体側コネクタを第１方向の他方側から見た図である。
【図１８】ソケットがホルダの一部に接触する様子を示す模式図である。
【図１９】ドロワおよびシャフトを第２方向の一方側から見た様子を示す図である。
【図２０】ドロワおよびシャフトを第１方向に垂直な面で切ったときの断面図である。
【図２１】ユニットおよびシャフトを第２方向の他方側から見た様子を示す図である。
【図２２】ユニットおよびシャフトを第１方向に見た図である。
【図２３】ユニットおよびシャフトの斜視図である。
【発明を実施するための形態】
【００２９】
以下、本発明の実施形態について、添付図面を参照しつつ説明する。
【００３０】
なお、以下の説明においては、感光体ドラムの回転中心軸（ドラム軸）が延びる方向を「第１方向」と称する。また、複数の感光体ドラムが並ぶ方向を「第２方向」と称する。第１方向と第２方向とは、互いに交差、好ましくは直交する。また、第１方向および第２方向のいずれにも交差する方向、好ましくは直交する方向を、「第３方向」と称する。さらに、第１方向および第２方向のいずれにも交差する方向であって、第３方向とは異なる方向を「第４方向」と称する。第４方向は、好ましくは第１方向と直交し、かつ、第２方向を成分に含む方向である。さらに、第１方向および第４方向に直交する方向を「第５方向」と称する。
【００３１】
＜１．画像形成装置の構成＞
図１および図２は、画像形成装置１００の概略図である。この画像形成装置１００は、電子写真方式のプリンタである。画像形成装置の例としては、レーザープリンタまたはＬＥＤプリンタが挙げられる。図１および図２に示すように、画像形成装置１００は、ドロワ１０と、画像形成装置本体６０とを備える。
【００３２】
＜１−１．ドロワの構成＞
以下では、ドロワ１０の構成について説明する。図３および図４は、ドロワ１０の斜視図である。図１から図４に示すように、ドロワ１０は、４つの感光体ドラム１１、フレーム１２、ドラムメモリ（ドロワメモリ）１３、４つの現像カートリッジ１４、４つのトナーメモリ（ドロワメモリ）１５、およびドロワ側コネクタ１６を有する。
【００３３】
図３および図４に示すように、４つの感光体ドラム１１は、それぞれ、第１方向に延びる回転中心軸であるドラム軸を中心とする円筒状の外周面を有する。感光体ドラム１１の外周面は、感光材料に覆われている。また、４つの感光体ドラム１１は、それぞれ、ドラム軸を中心として回転可能である。
【００３４】
図３および図４に示すように、フレーム１２は、４つの感光体ドラム１１を保持する枠体である。フレーム１２は、複数の感光体ドラム１１を第２方向において互いに間隔をあけた状態で保持する。フレーム１２は、第２方向において対向する一対のベース板１３１と、第１方向において対向する一対の側板１３２とを有する。
【００３５】
図１および図２に示すように、現像カートリッジ１４は、フレーム１２に着脱可能である。現像カートリッジ１４は、現像剤であるトナーを収容可能な筐体を有する。４つの現像カートリッジ１４は、互いに異なる色（例えば、シアン、マゼンタ、イエロー、およびブラックの各色）のトナーを収容する。また、本実施形態の現像カートリッジ１４は、現像ローラ１７を有する。現像ローラ１７は、円筒状の部材である。現像ローラ１７は、第１方向に延びる回転中心軸である現像軸を中心に回転可能である。現像カートリッジ１４がフレーム１２に装着されると、感光体ドラム１１の外周面は、現像ローラ１７の外周面と接触する。
【００３６】
ドラムメモリ１３、トナーメモリ１５、およびドロワ側コネクタ１６については、後に詳述する。
【００３７】
＜１−２．画像形成装置本体の構成＞
以下では、画像形成装置本体６０の構成について説明する。図１および図２に示すように、画像形成装置本体６０は、筐体６１、カバー６２、転写ベルト６３、制御部６４、および本体側コネクタ６５を有する。
【００３８】
筐体６１は、概ね直方体状であり、内部空間６１０を含む。筐体６１は、第１方向に対向する一対のサイドフレーム６１１を備える。筐体６１の内部空間６１０には、ドロワ１０を筐体６１に対して挿入方向に移動して収容可能である。本実施形態では、「挿入方向」は、第２方向の一方側に向かう方向である。このように、筐体６１には、現像カートリッジ１４を装着した状態のドロワ１０が収容される。その他に、筐体６１には、４つの帯電器（図示省略）、４つの光源（図示省略）、転写ベルト６３、制御部６４、本体側コネクタ６５、排紙ユニット（ユニット）６６、および基準シャフト（シャフト）６７が収容される。
【００３９】
カバー６２は、図１中に実線で示した開放位置と、図１中に二点鎖線で示した閉鎖位置との間で、移動可能である。具体的には、カバー６２は、第１方向に延びるヒンジ６９を中心として回動可能である。カバー６２が開放位置に配置されると、筐体６１の内部空間６１０が開放される。カバー６２が閉鎖位置に配置されると、筐体６１の内部空間６１０が閉鎖される。
【００４０】
画像形成装置１００のユーザは、カバー６２が開放位置の状態で、現像カートリッジ１４が装着されたドロワ１０を、挿入方向に移動させることができる。これにより、ドロワ１０を、少なくとも一部が筐体６１の外部に位置する離脱位置と、内部空間６１０にセットされた装着位置との間で、移動させることができる。
【００４１】
転写ベルト６３は、印刷用紙を搬送するための無端帯状のベルトである。転写ベルト６３は、ドロワ１０が装着位置に配置された状態で、感光体ドラム１１を挟んで現像ローラ１７とは反対側に位置する。転写ベルト６３の外周面は、ドロワ１０が装着位置に配置された状態で、感光体ドラム１１の外周面に接触可能である。
【００４２】
排紙ユニット６６は、画像を形成した後の印刷用紙を、筐体６１の上部の排紙トレイ（図示省略）へと案内するためのユニットである。排紙ユニット６６は、印刷用紙を排紙トレイへと搬送する経路、および当該経路に沿って配置される複数の搬送ローラを有する。排紙ユニット６６は、筐体６１の内部空間６１０の、挿入方向の下流側に設けられる。別の言い方をすれば、排紙ユニット６６は、筐体６１の第２方向の一方側の内表面に沿うように設けられる。
【００４３】
制御部６４は、ＣＰＵ等のプロセッサと、本体メモリとを有する。本体メモリは、情報の読み出しおよび書き込みが可能な記録媒体である。本体メモリは、例えばフラッシュＲＯＭまたはＥＥＰＲＯＭである。本体メモリは、画像形成装置１００の動作を制御するためのコンピュータプログラムを記憶している。プロセッサは、本体メモリに記憶されたコンピュータプログラムに従って、種々の処理を実行する。すなわち、プロセッサは、画像形成装置１００の印刷処理およびそれに付随する種々の処理を実行する。
【００４４】
本体側コネクタ６５および基準シャフト６７については後に詳述する。
【００４５】
＜１−３．電気的な接続に関する構成＞
以下では、画像形成装置１００の電気的な接続に関する構成について説明する。具体的には、ドラムメモリ１３、トナーメモリ１５、ドロワ側コネクタ１６、および本体側コネクタ６５について、図２および図４を主として参照して説明する。
【００４６】
＜１−３−１．ドロワが有する電気的な接続に関する構成＞
ドロワ１０は、電気的な接続に関する構成として、ドラムメモリ１３、トナーメモリ１５、およびドロワ側コネクタ１６を有する。
【００４７】
ドラムメモリ１３は、４つの感光体ドラム１１のうちの少なくとも１つの感光体ドラム１１についての情報を記憶する。具体的には、本実施形態のドラムメモリ１３は、個々の感光体ドラム１１を識別可能なドラム識別情報と、感光体ドラム１１の寿命に関するドラム寿命情報とを、記憶している。ドラム識別情報は、例えばシリアルナンバーである。ドラム寿命情報は、感光体ドラム１１の回転数、および感光体ドラム１１の印刷枚数の少なくともいずれかである。図４に示すように、本実施形態のドラムメモリ１３は、一対のベース板１３１のうち第２方向の一方側のベース板１３１の内表面に位置する。ドラムメモリ１３は、後述するトナーメモリ１５とドロワ側コネクタ１６との電気的な接続を中継する。
【００４８】
トナーメモリ１５は、各現像カートリッジ１４に個別に設けられる。トナーメモリ１５は、個々の現像カートリッジ１４を識別可能なトナー識別情報と、現像カートリッジ１４の寿命に関するトナー寿命情報とを、記憶している。トナー識別情報は、例えばシリアルナンバーである。トナー寿命情報は、現像ローラ１７の回転数、現像ローラ１７の印刷枚数、および出力ドット数の少なくともいずれかである。現像カートリッジ１４がドロワ１０に装着された状態のとき、本実施形態のトナーメモリ１５は、一対の側板１３２のうち第１方向の他方側の側板１３２の外表面に位置する。
【００４９】
図３に示すように、ドロワ側コネクタ１６は、一対のベース板１３１のうち第２方向の一方側のベース板１３１の外表面に位置する。ドロワ側コネクタ１６は、ドロワ側電気的接触部１６１と、ソケット１６２とをもつ。ドロワ側電気的接触部１６１には、複数の電気的接触面が配列される。各電気的接触面からは、それぞれ、電圧線やクロック線やデータ線等の配線のいずれかが延びる、これらの配線は、ドラムメモリ１３に接続される。さらに、これらの配線は、ドラムメモリ１３を介して、対応するトナーメモリ１５と電気的に接続される。配線は、適宜束ねられて、ハーネスとされている。このように、ドロワ側電気的接触部１６１は、ドラムメモリ１３およびトナーメモリ１５と電気的に接続される。
【００５０】
ドロワ側コネクタ１６が後述する本体側コネクタ６５に接続されると、ドラムメモリ１３およびトナーメモリ１５と、制御部６４とが、電気的に接続される。これにより、制御部６４がドラムメモリ１３およびトナーメモリ１５と通信可能となる。
【００５１】
図３に示すソケット１６２は、第４方向に延びる。ソケット１６２は、ドロワ側電気的接触部１６１を内部に保持する。すなわち、ソケット１６２は、ドロワ側電気的接触部１６１の周囲を取り囲む。ソケット１６２は、第４方向においてドロワ側電気的接触部１６１に近づくにつれて、次第に収束する形状を有する。別の言い方をすれば、ソケット１６２は、第４方向の一方側に向かうほど、ドロワ側電気的接触部１６１から離れるように広がる。
【００５２】
＜１−３−２．画像形成装置本体が有する電気的な接続に関する構成＞
図５は、本体側コネクタ６５の斜視図である。図５に示すように、本体側コネクタ６５は、本体側電気的接触部６５１と、ホルダ６５２とをもつ。本体側電気的接触部６５１には、複数の電気接点が配列される。各電気接点からは、それぞれ、電圧線やクロック線やデータ線等の配線のいずれかが延びる。これらの配線は、制御部６４の対応する端子に接続される。配線は、適宜束ねられて、ハーネスとされる。このように、本体側電気的接触部６５１は、制御部６４と電気的に接続される。
【００５３】
ドロワ１０が筐体６１の内部空間６１０に挿入されてドロワ１０が装着位置に配置されたとき、本体側コネクタ６５と、ドロワ側コネクタ１６とが接続される。これにより、ドロワ側電気的接触部１６１の各電気的接触面は、本体側電気的接触部６５１に設けられた対応する電気接点に接触する。
【００５４】
ホルダ６５２は、本体側電気的接触部６５１を、第４方向、および第４方向に垂直な方向に移動可能に、すなわちフロート可能に、保持する。第４方向に垂直な方向は、例えば第５方向である。ホルダの具体的な構成については、後に説明する。
【００５５】
以上のような構成の画像形成装置１００において、印刷処理の実行時に、制御部６４は、図示を省略したモータを駆動させる。感光体ドラム１１および現像ローラ１７は、このモータの駆動によって、回転する。また、制御部６４は、帯電器に電力を供給することにより、感光体ドラム１１の表面を帯電させる。さらに制御部６４は、光源を発光させることにより、光源の光を感光体ドラム１１の外周面に照射する。これにより、印刷すべき画像の静電潜像が、感光体ドラム１１の外周面に形成される。現像カートリッジ１４のトナーは、現像ローラ１７を介して、感光体ドラム１１の静電潜像上に供給される。これにより、トナー像が、感光体ドラム１１の外周面に形成される。その後、印刷用紙は、感光体ドラム１１と転写ベルト６３との間へ搬送される。これにより、感光体ドラム１１の外周面から印刷用紙へ、トナー像が転写される。印刷用紙にトナー像が転写された状態で、印刷用紙は、画像形成装置１００内の定着ユニットに搬送される。これにより、印刷用紙に転写されたトナー像が、印刷用紙上に熱定着される。その結果、印刷用紙に画像が印刷される。
【００５６】
なお、上記の印刷処理の実行時に、制御部６４は、ドラムメモリ１３およびトナーメモリ１５と通信することにより、感光体ドラム１１の寿命および現像カートリッジ１４の寿命等に関する情報を取得する。これにより、制御部６４は、状況に応じて好適なモードに設定して印刷処理を実行し、あるいは、状況によっては印刷処理を中止することができる。
【００５７】
＜１−４．本体側コネクタの各部の詳細な構成＞
以下では、本体側コネクタ６５の構成、とりわけホルダ６５２の詳細な構成について、図５から図１８を参照して説明する。図５に示すように、ホルダ６５２は、ベース６６０と、カバー６７０と、パネル６８０と、コイルスプリング６９０（図６を参照）とを備える。
【００５８】
＜１−４−１．ベースの構成＞
初めに、ベース６６０の構成について、図６および図７を参照して説明する。図６は、ベース６６０とコイルスプリング６９０との斜視図である。図７は、ベース６６０を図６とは異なる方向から見たときの斜視図である。
【００５９】
ベース６６０は、第４方向に見たときに概ね矩形状である。ただし、ベース６６０は取付部６９９を有する。後に詳述するように、取付部６９９は、筐体６１の内部空間６１０に第１方向に延びる基準シャフト６７にベース６６０を取り付けるために用いられる。ベース６６０は、上記矩形の中央部に、第４方向に貫通する貫通孔６６９を有する。貫通孔６６９の内周面は、第４方向に見たときに長辺と短辺とを有する長方形状である。
【００６０】
ベース６６０は、第４方向の他方側の外表面に第１バネ座６６１を有する。第１バネ座６６１には、後述するコイルスプリング６９０の第４方向の一端が接続される。第１バネ座６６１は、貫通孔６６９を間に挟んで、貫通孔６６９に対して第１方向の一方側と、貫通孔６６９に対して第１方向の他方側と、の２箇所に配置される。
【００６１】
ベース６６０は、第５方向に対向する一対の端壁６６２を有する。各端壁６６２は、第５方向に対して垂直に広がる。端壁６６２の第１方向における中央部には、第４方向の他方側に開放された矩形状の切欠き６６２ａが設けられる。
【００６２】
また、ベース６６０は、第４方向の他方側の外表面に、リブ状に突出した第１接触面６６３を有する。第１接触面６６３は、第４方向に対して垂直な平面状の部位である。第１接触面６６３は、貫通孔６６９の上記長辺の一部分から第５方向に延びる。第１接触面６６３は、第１方向に隣り合う領域よりも、第４方向の他方側に向けて突出する。
【００６３】
また、ベース６６０は、第４方向の他方側の外表面に開口したネジ孔６６４を有する。ネジ孔６６４は、第４方向の一方側に向かって延びている。ネジ孔６６４は、内周面に雌ネジを有する。
【００６４】
＜１−４−２．カバーの構成＞
次に、カバー６７０の構成について、図８および図９を参照して説明する。図８は、カバー６７０とネジ６９８との斜視図である。図９は、カバー６７０を図８とは異なる方向から見たときの斜視図である。
【００６５】
カバー６７０は、第４方向に見たときに概ね矩形の枠状である。カバー６７０は、枠部６７１と、一対の第１側壁６７３と、一対の第２側壁６７４とを有する。枠部６７１は、外形が長方形状であり、中央部に貫通孔６７１ａを有する。貫通孔６７１ａの内周面は、枠部６７１の外形に沿う長辺と短辺を有する長方形状である。
【００６６】
一対の第１側壁６７３は、第１方向に離れている。第１側壁６７３は、第１方向に対して垂直な板状である。第１側壁６７３は、枠部６７１の外縁のうち短辺の部分から第４方向の一方側に延びる。一対の第２側壁６７４は、第５方向に離れている。第２側壁６７４は、第５方向に対して垂直な板状である。第２側壁６７４は、枠部６７１の外縁のうち長辺の部分から第４方向の一方側に延びる。
【００６７】
枠部６７１は、一対の貫通孔６７５を有する。貫通孔６７５は、枠部６７１を第４方向に貫通する。後にも説明するように、カバー６７０はベース６６０に対して第４方向に重ね合わされて固定される。貫通孔６７５は、ベース６６０のネジ孔６６４に対応する位置に設けられる。貫通孔６７５にはネジ６９８の軸部を挿入可能である。枠部６７１を第４方向の他方側から見たとき、枠部６７１の貫通孔６７５が形成される領域は、その他の領域よりも第４方向の一方側に凹んでいる。
【００６８】
一対の第２側壁６７４のうちの第５方向の一方側の第２側壁６７４は、第４方向の一方側に開放された第１切欠き６７４ａを有する。第１切欠き６７４ａは、第５方向の一方側の第２側壁６７４の、第１方向における略中央部に設けられる。第１切欠き６７４ａは、第１方向における幅が、第４方向の他方側に向かうほど縮小する。すなわち、第１切欠き６７４ａは、第１方向における幅が、ベース６６０から第４方向に離れるに従って狭くなる。
【００６９】
本実施形態においては、一対の第２側壁６７４のうちの第５方向の他方側の第２側壁６７４は、第４方向の一方側に開放された切欠き６７４ｂを有する。切欠き６７４ｂは、第５方向にみたときに、第１切欠き６７４ａと重複する形状に設けられる。また、第２側壁６７４は、第１切欠き６７４ａに対向する位置（切欠き６７４ｂの位置）から第１方向の両側に離れた位置に、第２切欠き６７４ｃを有する。第５方向に見たとき、第２切欠き６７４ｃは、切欠き６７４ｂを挟んで一対に設けられる。第２切欠き６７４ｃは、第４方向の一方側に開放されている。第２切欠き６７４ｃは、第５方向に見たときに略矩形状である。
【００７０】
第４方向に見たときに、第１切欠き６７４ａと、対をなす２つの第２切欠き６７４ｃとは、仮想上の二等辺三角形の頂点にそれぞれ配置される。
【００７１】
第１側壁６７３は、第４方向の一方側に開放された第３切欠き６７３ａを有する。第３切欠き６７３ａは、対向する第１側壁６７３に一対に設けられる。第３切欠き６７３ａは、第１方向に見たときに略矩形状である。
【００７２】
カバー６７０の枠部６７１は、詳細には、平面６７１ｂと、突起６７１ｃとを含む。平面６７１ｂは、第２側壁６７４の、第４方向におけるベース６６０とは反対側（他方側）の端部から、カバー６７０の第５方向の内方側に向かって略矩形状に延びる。突起６７１ｃは、平面６７１ｂの内縁から、カバー６７０の第５方向の内方側に向かって部分的に突出する。第４方向に見たときに、突起６７１ｃは、切欠き６７４ａ，６７４ｂを間に挟んで第１方向の両側の位置に、合計４つ設けられる。４つの突起６７１ｃは、第４方向にみたとき、仮想上の長方形の頂点にそれぞれ配置される。
【００７３】
＜１−４−３．パネルの構成＞
次に、パネル６８０の構成について、図１０および図１１を参照して説明する。図１０は、パネル６８０と本体側電気的接触部６５１との斜視図である。図１１は、図１０とは異なる方向から見たときの、パネル６８０と本体側電気的接触部６５１との斜視図である。
【００７４】
パネル６８０は、箱体６８１と、仕切り板６８２とを含む。箱体６８１は角筒状であり、第４方向に延びる。箱体６８１は、第４方向に見たときに外形が略長方形状である。仕切り板６８２は、第４方向に垂直な略矩形の板状である。仕切り板６８２は、箱体６８１の第４方向の一部分の内側面から箱体６８１の内方側に向かって広がる。仕切り板６８２は、中央部に、仕切り板６８２の外形に沿う矩形状の貫通孔６８２ａを有する。
【００７５】
仕切り板６８２において、貫通孔６８２ａを間に挟んで第１方向の両側には、貫通孔（取付部）６８２ｂが配置される。貫通孔６８２ｂの内周面は、第４方向に見たときに円形状である。貫通孔６８２ｂに、第４方向の他方側から、本体側電気的接触部６５１が取り付けられる。
【００７６】
パネル６８０は、箱体６８１の第１方向における両側から、パネル６８０の外方側に向かって突出する一対の耳部６８３を有する。耳部６８３は、貫通孔６８２ａおよび貫通孔６８２ｂを間に挟んで第１方向の両側に配置される。
【００７７】
図１１に示すように、耳部６８３は、内部に空洞を有する。別の言い方をすれば、耳部６８３は、ベース６６０へ向けて開放された凹部６８３ａを有する。耳部６８３は、凹部６８３ａの底部に第２バネ座６８３ｂを有する。すなわち、第２バネ座６８３ｂは、凹部６８３ａ内に設けられる。バネ座６８３ｂには、コイルスプリング６９０の第４方向の他端が接続される。
【００７８】
箱体６８１の側壁のうち、第５方向に垂直な一対の側壁６８１ｃの、第４方向の一方側の端部は、それぞれ、凹部６８０ｄを有する。凹部６８０ｄは、側壁６８１ｃから箱体６８１の径方向内方へ、凹んでいる。凹部６８０ｄの底部は、第５方向に垂直な平面部６８１ｅとなっている。平面部６８１ｅの第４方向の一方側の端面は、箱体６８１の第４方向の一方側の端面と連続している。この平面部６８１ｅの第４方向の一方側の端面が、第２接触面６８１ｆとなっている。後述するように、第２接触面６８１ｆは、ベース６６０の第１接触面６６３に対して接触可能である。
【００７９】
また、箱体６８１は、第１突起６８４、一対の第２突起６８５、および第３突起６８６を有する。第１突起６８４は、一対の凹部６８０ｄのうち第５方向の一方側の凹部６８０ｄから、箱体６８１の外方側に向かって延びている。すなわち、第１突起６８４は、第５方向の一方側へ延びている。第２突起６８５は、一対の耳部６８３から、それぞれ、第５方向の他方側へ向かって延びている。また、第３突起６８６は、一対の凹部６８０ｄのうち第５方向の他方側の凹部６８０ｄから、箱体６８１の外方側に向かって延びている。すなわち、第３突起６８６は、第５方向の他方側へ延びている。
【００８０】
第１突起６８４および第３突起６８６は、第５方向に垂直な断面で切ったときに、半円状の断面を有する。この半円は、第４方向の一方側に開放端を向けている。すなわち、第１突起６８４および第３突起６８６の外表面は、第５方向に見たときに、第４方向の他方側に向かうにつれて第１方向の幅が狭まる半円形状を有する。
【００８１】
＜１−４−４．コイルスプリングの構成＞
コイルスプリング６９０は、金属線が螺旋状に巻かれた弾性部材である。コイルスプリング６９０は、第４方向に伸縮可能である。また、コイルスプリング６９０は、螺旋の径方向に撓むことが可能である。後述するように、コイルスプリング６９０は、自然長よりも圧縮された状態で、ベース６６０の第１バネ座６６１と、パネル６８０の耳部６８３の第２バネ座６８３ｂと、の間に配置される。
【００８２】
＜１−５．本体側電気的接触部の構成＞
以下では、本体側電気的接触部６５１の構成について、図１０および図１１を参照して説明する。本体側電気的接触部６５１は、雌型コネクタ端子６５１ａと、コネクタ端子支持台６５１ｂと、一対の軸部６５１ｃとを有する。
【００８３】
雌型コネクタ端子６５１ａには、上述の複数の電気接点が配置される。コネクタ端子支持台６５１ｂは、第４方向に対して垂直な矩形の略板状の部位である。コネクタ端子支持台６５１ｂの中央部に、上記の雌型コネクタ端子６５１ａが固定される。コネクタ端子支持台６５１ｂの第４方向の一方側の端面には、一対の軸部６５１ｃが位置する。軸部６５１ｃは、雌型コネクタ端子６５１ａを間に挟んで第１方向の両側に配置される。
【００８４】
軸部６５１ｃは、略円錐状であり、コネクタ端子支持台６５１ｂから第４方向の一方側に突出する。軸部６５１ｃは、弾性材料からなる。軸部６５１ｃは、オペレータにより加圧されることにより、径方向に縮むことが可能である。
【００８５】
＜１−６．本体側コネクタの各部の組付け構成＞
以下では、ベース６６０、カバー６７０、パネル６８０、コイルスプリング６９０、ネジ６９８、および本体側電気的接触部６５１が組付けられる際の様子について、図１２および図１３を参照して説明する。図１２は、本体側コネクタ６５の分解斜視図である。図１３は、図１２とは異なる方向にみたときの、本体側コネクタ６５の分解斜視図である。
【００８６】
まず初めに、画像形成装置１００を製造する工場のオペレータが、本体側電気的接触部６５１の軸部６５１ｃを加圧しながら、当該軸部６５１ｃをパネル６８０の仕切り板６８２の貫通孔６８２ｂに挿入する。これにより、本体側電気的接触部６５１がパネル６８０に取り付けられる。軸部６５１ｃは、貫通孔６８２ｂを通過すると、径方向外方に拡がる。これにより、本体側電気的接触部６５１がパネル６８０の仕切り板６８２から脱落不能となる。
【００８７】
本体側電気的接触部６５１を取り付けた状態のパネル６８０は、部分的にベース６６０とカバー６７０との間に挟まれる。詳細には、まず、一対のコイルスプリング６９０の一端が、それぞれ、ベース６６０の第１バネ座６６１に取り付けられる。この状態で、パネル６８０が、第４方向の他方側からベース６６０に重ねられる。この際、コイルスプリング６９０の他端は、パネル６８０の耳部６８３の第２バネ座６８３ｂに取り付けられる。また、パネル６８０の第１突起６８４は、ベース６６０の第５方向の一方側の切欠き６６２ａに収容される。また、パネル６８０の一対の第２突起６８５は、間に第５方向の他方側の端壁６６２を挟んだ状態で、当該端壁６６２の第１方向の両側に配置される。パネル６８０の第３突起６８６は、ベース６６０の第５方向の他方側の切欠き６６２ａに収容される。
【００８８】
図１２および図１３に示すように、パネル６８０を重ねた状態のベース６６０に、さらに、第４方向の他方側からカバー６７０が重ね合わされる。この際、パネル６８０の第１突起６８４は、カバー６７０の第１切欠き６７４ａに収容される。パネル６８０の一対の第２突起６８５は、カバー６７０の第２切欠き６７４ｃに収容される。パネル６８０の第３突起６８６は、カバー６７０の切欠き６７４ｂに収容される。パネル６８０の一対の耳部６８３は、カバー６７０の一対の第３切欠き６７３ａに収容される。この状態で、ネジ６９８の軸部が第４方向の他方側からカバー６７０の貫通孔６７５に挿入されるとともに、ネジ６９８の軸部がベース６６０のネジ孔６６４にねじ込まれる。これにより、間にコイルスプリング６９０およびパネル６８０を挟んだ状態で、カバー６７０がベース６６０に対して固定される。
【００８９】
＜１−７．コネクタの動き＞
以下では、上述のように組付けられた状態の本体側コネクタ６５の動きについて、図１４から図１８を参照して説明する。図１４は、本体側コネクタ６５を第４方向の他方側から見た図である。図１５は、本体側コネクタ６５を第５方向の一方側から見た図である。図１６は、本体側コネクタ６５を第５方向の他方側から見た図である。図１７は、本体側コネクタ６５を第１方向の他方側から見た図である。図１８は、ソケット１６２がホルダ６５２の一部に接触する様子を示す図である。
【００９０】
本体側コネクタ６５において、コイルスプリング６９０は、ベース６６０とパネル６８０との間で、自然長よりも圧縮された状態に保たれる。よって、本体側電気的接触部６５１は、第４方向の他方側に常に押圧されている。しかしながら、第１突起６８４が切欠き６６２ａおよび第１切欠き６７４ａに取り囲まれた範囲内でしか移動しないこと、並びに、第２突起６８５が第２切欠き６７４ｃに取り囲まれた範囲内でしか移動しないことにより、本体側電気的接触部６５１は、ドロワ側電気的接触部１６１と非接触の状態において、第４方向の位置が一定の位置とされる。
【００９１】
ただし、コイルスプリング６９０は、第４方向の一方側に縮む余裕代がある状態に保持される。このため、図１８に示すように、本体側コネクタ６５に、パネル６８０（箱体６８１）がソケット１６２に接触すること等に起因して外力が加わると、コイルスプリング６９０が変形することに伴って、本体側電気的接触部６５１の位置が、第４方向、および第４方向に垂直な方向に、変位可能である。すなわち、本体側電気的接触部６５１は、ホルダ６５２の一部（ベース６６０およびカバー６７０）に対して、フロートする。
【００９２】
また、図１５に示すように、本体側コネクタ６５において、第１突起６８４の外表面と、第１切欠き６７４ａの内面と、の間には、第１方向に間隙が設けられている。また、図１６に示すように、第２突起６８５の外表面と、第２切欠き６７４ｅの内面と、の間には、第１方向に間隙が設けられている。よって、本体側コネクタ６５に、パネル６８０（箱体６８１）がソケット１６２に接触すること等に起因して外力が加わったとしても、第１突起６８４が第１切欠き６７４ａ内でしか移動しないこと、および、第２突起６８５が第２切欠き６７４ｅ内でしか移動しないことにより、本体側電気的接触部６５１の第１方向の移動範囲が規制される。
【００９３】
また、図１４に示すように、本体側コネクタ６５において、第５方向に対向する突起６７１ｃ同士の離間距離Ｌ２は、パネル６８０の第５方向に対向する側壁６８１ｃの外表面同士の間の距離Ｌ１よりも、大きい（Ｌ１＜Ｌ２）。別の言い方をすれば、パネル６８０の箱体６８１の外表面と、突起６７１ｃの内縁面と、の間には、第５方向に間隙が設けられている。よって、本体側コネクタ６５に、パネル６８０がソケット１６２に接触すること等に起因して外力が加わったとしても、パネル６８０の側壁６８１ｃの外表面が、第５方向に対向する突起６７１ｃのいずれかに接触する位置までしか移動しないことにより、本体側電気的接触部６５１の第５方向の移動範囲が規制される。
【００９４】
さらに、図１７に示すように、耳部６８３は、第３切欠き６７３ａを通って第１方向に延びる。これにより、ベース６６０およびパネル６８０の、第１方向におけるより外側の位置にて、パネル６８０がコイルスプリング６９０により押圧される。その結果、本体側電気的接触部６５１の姿勢がより安定化する。
【００９５】
さらに、本体側コネクタ６５において、ドロワ側電気的接触部１６１が本体側電気的接触部６５１に接触したときの衝撃等に起因して、コイルスプリング６９０が仮に上記の余裕代の全量分、縮んだとすると、ベース６６０の第１接触面６６３と、パネル６８０の箱体６８１の第２接触面６８１ｆとが、接触する。別の言い方をすれば、本体側コネクタ６５が底付きする。このように、本体側コネクタ６５を第４方向に弾性変位可能とすることで、コイルスプリング６９０等に過剰な負荷が掛かってしまうことを防止できる。
【００９６】
＜１−８．ドロワおよび排紙ユニットの位置決め構造＞
以下では、ドロワ１０および排紙ユニット６６の位置決めに関する構造について、図１９から図２３を参照して詳細に説明する。図１９は、ドロワ１０および基準シャフト６７を第２方向の一方側から見た様子を示す図である。図２０は、ドロワ１０および基準シャフト６７を第１方向に垂直な面で切ったときの断面図である。図２１は、排紙ユニット６６および基準シャフト６７を第２方向の他方側から見た様子を示す図である。図２２は、排紙ユニット６６および基準シャフト６７を第１方向に見た図である。図２３は、排紙ユニット６６および基準シャフト６７の斜視図である。
【００９７】
＜１−８−１．ドロワの位置決め構造＞
画像形成装置１００の画像形成装置本体６０は、ドロワ１０の位置決めに関連する部材として、基準シャフト６７および凹部１３３を有する。
【００９８】
基準シャフト６７は、筐体６１内に配置される。基準シャフト６７は、第１方向に延びる略円柱状の部材である。基準シャフト６７は、排紙ユニット６６よりも第３方向の一方側に位置する。図１９に示すように、基準シャフト６７の第１方向における両端部は、一対のサイドフレーム６１１に固定される。
【００９９】
図１９に示すように、凹部１３３は、ドロワ１０の挿入方向の下流側の外表面に位置する。すなわち、図２０に示すように、凹部１３３は、ドロワ１０の第２方向の一方側の外表面から、第２方向の他方側に向かって凹む。凹部１３３は、間にドロワ側コネクタ１６を挟んで第１方向における両側に一対に設けられる。
【０１００】
ドロワ１０が筐体６１の内部空間６１０に挿入されてドロワ１０が装着位置に配置されたとき、ドロワ１０の凹部１３３に、基準シャフト６７が嵌まり込む。ドロワ１０が筐体６１の内部空間６１０に収容されて装着位置に配置されている間、凹部１３３は基準シャフト６７を押圧する。これにより、ドロワ１０が装着位置において位置決めされる。なお、図１９に示すように、ドロワ１０の凹部１３３は、基準シャフト６７の第１方向における中央部よりも外方側で、基準シャフト６７を押圧するため、基準シャフト６７が撓み難くなっている。
【０１０１】
＜１−８−２．排紙ユニットの位置決め構造＞
画像形成装置１００のベース６６０が有する取付部６９９も、ドロワ１０および排紙ユニット６６の位置決めに関連している。すなわち、取付部６９９は、「接続部材」の実施の一形態である。
【０１０２】
上述した排紙ユニット６６は、筐体６１の内部空間６１０において、一対のサイドフレーム６１１の間に位置する。排紙ユニット６６は、筐体６１の第２方向の一方側の端部に位置する。
【０１０３】
図２１に示すように、排紙ユニット６６の第３方向の一端（第３方向の他方側の端部）は、ボルト等の締結部材６１３を用いて、筐体６１に締結される。また、排紙ユニット６６には、本体側コネクタ６５のベース６６０が固定される。その結果、排紙ユニット６６の第３方向の他端部（第３方向の一方側の端部）に、取付部６９９が配置される。取付部６９９は、排紙ユニット６６の第２方向における他方側の壁部に沿うように設けられる。取付部６９９は、排紙ユニット６６の第１方向における中央の位置に対して、第１方向の一方側にオフセットして配置される。
【０１０４】
図２１および図２２に示すように、取付部６９９は、第３方向に延びる。取付部６９９は、第３方向における一方側の端部に、当該一方側が開放された切欠き６９９ａを有する。切欠き６９９ａは、取付部６９９を第１方向に貫通する。切欠き６９９ａは、基準シャフト６７に第３方向の他方側から組み付けられる。これにより、取付部６９９の切り欠き６９９ａに、基準シャフト６７が挿入される。その結果、排紙ユニット６６と基準シャフト６７との間が取付部６９９により接続される。上述したように、取付部６９９は、本体側コネクタ６５の一部に設けられる。換言すれば、取付部６９９に本体側コネクタ６５が支持されている。これにより、本体側コネクタ６５が、排紙ユニット６６の下端に支持されている。結果として、排紙ユニット６６の下端は、取付部６９９を介して、基準シャフト６７に支持される。
【０１０５】
このように、本実施形態の排紙ユニット６６は、第３方向の一端だけではなく、第３方向の他端も支持されるので、精度よく位置決めされる。さらに、このように精度よく位置決めされた排紙ユニット６６に取り付けられている本体側コネクタ６５に、ドロワ側コネクタ１６が接続されることで、ドロワ１０の電気的接触部１６１の位置決めの精度も向上する。
【０１０６】
別の観点で見ると、本体側コネクタ６５は、取付部６９９を介して、基準シャフト６７に対して支持される。また、ドロワ側コネクタ１６も、基準シャフト６７に対して支持される。このように、本体側コネクタ６５およびドロワ側コネクタ１６が、共通の基準シャフト６７に対して支持されるので、本体側電気的接触部６５１とドロワ側電気的接触部１６１との位置決めの精度が向上する。
【０１０７】
＜２．まとめ＞
以上に示したように、本願で開示した画像形成装置１００は、ドロワ１０と、画像形成装置本体６０とを備える。ドロワ１０は、感光体ドラム１１と、フレーム１２と、ドラムメモリ１３（ドロワメモリ）およびトナーメモリ（ドロワメモリ）１５と、ドロワ側コネクタ１６とを有する。画像形成装置本体６０は、筐体６１と、制御部６４と、本体側コネクタ６５と、基準シャフト（シャフト）６７と、排紙ユニット（ユニット）６６と、取付部（接続部材）６９９とを備える。ドロワ１０の挿入方向の下流側の外表面（凹部１３３）は、ドロワ１０が内部空間６１０に収容されたときに、基準シャフト６７を押圧する。排紙ユニット６６は、第３方向の一端が筐体６１に締結され、第３方向の他端が取付部６９９を介して基準シャフト６７に支持される。本体側コネクタ６５は排紙ユニットユニット６６に対して支持される。ドロワ側電気的接触部１６１と本体側電気的接触部６５１とは、ドロワ１０が内部空間６１０に収容されたときに、互いに接続される。これにより、ドロワ１０の挿入方向の下流側の外表面（凹部１３３）が基準シャフト６７を押圧することにより、ドロワ１０が位置決めされる。さらに、ドロワ１０で基準シャフト６７を押圧したときの係合荷重に対して、排紙ユニット６６が撓み難くなる。さらに、排紙ユニット６６は第３方向の一端と他端とで安定的に支持される。よって基準シャフト６７自体も撓み難くなる。結果として、ドロワ１０の電気的接触部１６１、および画像形成装置本体６０の電気的接触部１６１の位置決めの精度を向上することができる。
【０１０８】
また、本願で開示した画像形成装置１００においては、取付部６９９に本体側コネクタ６５が支持される。これにより、ユニット６６および基準シャフト６７が撓み難くなっているので、取付部６９９自体も変形し難い。この取付部６９９に本体側コネクタ６５が支持されているので、本体側コネクタ６５の位置決めの精度が向上する。その結果、ドロワ１０の位置決めの精度も向上する。
【０１０９】
また、本願で開示した画像形成装置１００においては、ドロワ１０の挿入方向の下流側の外表面は、基準シャフト６７が嵌まる凹部１３３を有する。これにより、基準シャフト６７に対してドロワ１０を位置決めすることが容易となる。
【０１１０】
また、本願で開示した画像形成装置１００においては、凹部１３３は、間にドロワ側コネクタ１６を挟んで第１方向における両側に一対に設けられる。これにより、凹部１３３が、ドロワ１０の第１方向におけるより外側に配置されるため、ドロワ１０が基準シャフト６７を押圧したときの係合荷重に対して、基準シャフト６７がより撓み難くなる。
【０１１１】
また、本願で開示した画像形成装置１００においては、取付部６９９は、基準シャフト６７の第１方向における中央の位置に対してオフセットして配置される。これにより、ドロワ１０で基準シャフト６７を押圧したときの係合荷重に対して、ユニット６６がより撓み難くなる。
【０１１２】
また、本願で開示した画像形成装置１００においては、ユニット６６は、記録面上に画像を形成した後の印刷用紙を搬送する排紙ユニット６６である。これにより、排紙ユニット６６を活用して、ドロワ１０の位置決めの精度を向上することができる。
【０１１３】
さらに、本願で開示した画像形成装置１００においては、取付部６９９は、第１方向および第２方向に対して交差する第３方向に延びる。取付部６９９は、第３方向における感光体ドラム１１に近い側である一方側の端部に、当該一方側が開放された切欠き６９９ａを有する。これにより、取付部６９９および本体側コネクタ６５と一体の状態の排紙ユニット６６を、第３方向の他方側から一対のサイドフレーム６１１の間に挿入し、切欠き６９９ａを基準シャフト６７に嵌め込み、排紙ユニット６６の第３方向の他方側の部分をサイドフレーム６１１に締結することが容易となる。言い換えれば、排紙ユニット６６の筐体６１への組付けが容易となる。また、切欠き６９９ａが基準シャフト６７に嵌め込まれることにより、取付部６９９（本体側コネクタ６５）の第２方向への移動が規制される。その結果、本体側コネクタ６５の位置決めの精度が向上する。
【０１１４】
＜３．変形例＞
上記の実施形態では、各色の現像カートリッジ１４が、共通のドラムカートリッジとしてのドロワ１０に装着されていた。しかしながら、これに代えて、ドラムカートリッジと現像カートリッジとが対をなした状態で、各色のカートリッジの対（プロセスカートリッジ）が個別にドロワに装着されることにしてもよい。
【０１１５】
上記の実施形態では、本体側コネクタ６５が備える本体側電気的接触部６５１は、雌型コネクタ端子を有するものとした。しかしながら、これに代えて、本体側電気的接触部が雄型コネクタ端子を有することにしてもよい。その場合、ドロワ側コネクタが雌型コネクタ端子を有するものとすればよい。
【０１１６】
上記の実施形態では、ドロワ側電気的接触部１６１に複数の電気的接触面が配列され、本体側電気的接触部６５１にこれに対応する複数の電気接点が配列されているものとしたが、これに限定されない。上記に代えて、本体側電気的接触部６５１に複数の電気的接触面が配列され、ドロワ側電気的接触部１６１にこれに対応する複数の電気接点が配列されていてもよい。
【０１１７】
上記の実施形態では、本体側コネクタ６５のホルダ６５２が、電気的接触部６５１を、第４方向、および第４方向に垂直な方向にフロート可能に保持しているものとした。しかしながら、これに加えてまたは代えて、ドロワ側コネクタのホルダが、当該ドロワ側コネクタの電気的接触部を、第４方向、および第４方向に垂直な方向にフロート可能に保持していることにしてもよい。
【０１１８】
上記の実施形態では、本体側コネクタ６５のホルダ６５２がコイルスプリング２９０を弾性部材として備えているとしたが、これに限定されない。上記に代えて、本体側コネクタのホルダが、弾性部材として、板バネや、スポンジや、ゴム材等を備えていてもよい。
【０１１９】
上記の実施形態では、取付部６９９は、本体側コネクタ６５のベース６６０に設けられていた。しかしながら、これに代えて、接続部材が本体側コネクタ６５をなす部材とは別に、設けられることにしてもよい。
【０１２０】
上記の実施形態では、取付部６９９は、基準シャフト６７を嵌め込む切欠き６９９ａを備えているものとした。しかしながら、上記に代えて、接続部材が基準シャフト６７を嵌め込む貫通孔を備えていてもよい。
【０１２１】
上記の実施形態では、本体側コネクタ６５は排紙ユニット６５に接続されていた。しかしながら、これに限定するものではなく、本体側コネクタ６５が排紙ユニット６５以外の構造体（ユニット）に接続されていてもよい。
【０１２２】
上記の実施形態の画像形成装置１００は、ドロワメモリとして、ドラムメモリ１３とトナーメモリ１５とを備えていたが、これに限定されない。上記に代えて、ドロワメモリがトナーメモリのみ、あるいはドラムメモリのみを有することにしてもよい。
【０１２３】
また、画像形成装置の構成や、細部の形状については、本願発明の趣旨を逸脱しない範囲で、適宜に変更してもよい。また、上記の実施形態や変形例に登場した各要素を、矛盾が生じない範囲で、適宜に組み合わせてもよい。
【符号の説明】
【０１２４】
１０      ドロワ
１１      感光体ドラム
１２      フレーム
１３      ドラムメモリ（ドロワメモリ）
１４      現像カートリッジ
１５      トナーメモリ（ドロワメモリ）
１６      ドロワ側コネクタ
１７      現像ローラ
６０      画像形成装置本体
６１      筐体
６２      カバー
６４      制御部
６５      本体側コネクタ
６６      排紙ユニット（ユニット）
６７      基準シャフト（シャフト）
１００    画像形成装置
１３１    ベース板
１３２    側板
１３３    凹部
１６１    ドロワ側電気的接触部
１６２    ソケット
６１０    内部空間
６１１    サイドフレーム
６５１    本体側電気的接触部
６５２    ホルダ
６６０    ベース
６６１    第１バネ座
６６２    端壁
６６２ａ  切欠き
６６３    第１接触面
６６４    ネジ孔
６６９    貫通孔
６７０    カバー
６７１    枠部
６７１ａ  貫通孔
６７１ｂ  平面
６７１ｃ  突起
６７３    第１側壁
６７３ａ  第３切欠き
６７４    第２側壁
６７４ａ  第１切欠き
６７４ａ  切欠き
６７４ｂ  切欠き
６７４ｃ  第２切欠き
６７５    貫通孔
６８０    パネル
６８０ｄ  凹部
６８１    箱体
６８１ｃ  側壁
６８１ｅ  平面部
６８１ｆ  第２接触面
６８２    仕切り板
６８２ａ  貫通孔
６８２ｂ  貫通孔
６８３    耳部
６８３ａ  凹部
６８３ｂ  バネ座
６８３ｂ  第２バネ座
６８４    第１突起
６８５    第２突起
６８６    第３突起
６９０    コイルスプリング（弾性部材）
６９８    ネジ
６９９    取付部
６９９ａ  切欠き
【図１】
2020134839.tif 000003
【図２】
2020134839.tif 000004
【図３】
2020134839.tif 000005
【図４】
2020134839.tif 000006
【図５】
2020134839.tif 000007
【図６】
2020134839.tif 000008
【図７】
2020134839.tif 000009
【図８】
2020134839.tif 000010
【図９】
2020134839.tif 000011
【図１０】
2020134839.tif 000012
【図１１】
2020134839.tif 000013
【図１２】
2020134839.tif 000014
【図１３】
2020134839.tif 000015
【図１４】
2020134839.tif 000016
【図１５】
2020134839.tif 000017
【図１６】
2020134839.tif 000018
【図１７】
2020134839.tif 000019
【図１８】
2020134839.tif 000020
【図１９】
2020134839.tif 000021
【図２０】
2020134839.tif 000022
【図２１】
2020134839.tif 000023
【図２２】
2020134839.tif 000024
【図２３】
2020134839.tif 000025